(57)【要約】【課題】機器が水中に浸漬してしまわないように低コストで保護することができる防水カバー及び機器の防水保護方法を実現する。【解決手段】防水カバー１００を杭圧入機１に装着することにより、防水カバー１００の被包部１０と杭圧入機１との間に空気層５０が形成されるので、その空気層５０の空気圧によって被包部１０の下部開口から増水した水が浸入することを抑え、防水カバー１００内の杭圧入機１が水に浸漬してしまうことを防ぐことを可能にした。【選択図】図４
2009255951.tif 000002
【特許請求の範囲】
【請求項１】
水に浮かない機器を内包する防水カバーであって、
前記機器の上部及び側部を覆う被包部と、
前記被包部を前記機器に固定する固定部と、を備え、
前記被包部と前記機器との間に空気層が形成されることを特徴とする防水カバー。
【請求項２】
前記固定部は、前記空気層による浮力によって、当該防水カバーが浮き上がらないように、前記被包部を前記機器の周囲に拘束することを特徴とする請求項１に記載の防水カバー。
【請求項３】
前記被包部内の前記空気層に対して、当該防水カバーの外部から空気を供給する空気供給手段を備えることを特徴とする請求項１又は２に記載の防水カバー。
【請求項４】
当該防水カバーの外面に、前記被包部を防護する防護部材を着脱可能に備えることを特徴とする請求項１〜３の何れか一項に記載の防水カバー。
【請求項５】
請求項１〜４の何れかに記載の防水カバーを用いて、水没の恐れのある機器を保護する機器の防水保護方法であって、
前記被包部を前記機器の上方から被せてその機器の上部及び側部を覆い、更に前記固定部によって前記被包部を前記機器の周囲に拘束することで前記被包部と前記機器との間に空気を保持して空気層を形成し、その空気層によって前記被包部の下方からの水の浸入を防ぐことを特徴とする機器の防水保護方法。
【発明の詳細な説明】
【技術分野】
【０００１】
本発明は、防水カバー及び機器の防水保護方法に係り、特に機器を覆う防水カバー及びその防水カバーで機器を保護する機器の防水保護方法に関する。
【背景技術】
【０００２】
従来、杭圧入作業を終えた杭圧入機を速やかに撤去するための運搬装置が知られている（例えば、特許文献１参照。）。
このような運搬装置を用いれば、河川工事などにおいて急な増水が発生した場合に、短時間で杭圧入機などの建設機器を撤去することができ、機器が水没し故障してしまうことを防ぐことができる。
【特許文献１】特開平６−２５７１５１号公報
【発明の開示】
【発明が解決しようとする課題】
【０００３】
しかしながら、上記特許文献１の場合、運搬装置は高価な装置であるため、増水がいつ発生するかわからない状態で待機させてことは非効率的であるとともに、待機させておくことによって工費が増大してしまうという問題があった。
【０００４】
本発明の目的は、機器が水中に浸漬してしまわないように低コストで保護することができる防水カバー及び機器の防水保護方法を提供することである。
【課題を解決するための手段】
【０００５】
以上の課題を解決するため、請求項１に記載の発明は、
水に浮かない機器を内包する防水カバーであって、
前記機器の上部及び側部を覆う被包部と、
前記被包部を前記機器に固定する固定部と、を備え、
前記被包部と前記機器との間に空気層が形成されることを特徴とする。
【０００６】
請求項２に記載の発明は、請求項１に記載の防水カバーにおいて、
前記固定部は、前記空気層による浮力によって、当該防水カバーが浮き上がらないように、前記被包部を前記機器の周囲に拘束することを特徴とする。
【０００７】
請求項３に記載の発明は、請求項１又は２に記載の防水カバーにおいて、
前記被包部内の前記空気層に対して、当該防水カバーの外部から空気を供給する空気供給手段を備えることを特徴とする。
【０００８】
請求項４に記載の発明は、請求項１〜３の何れか一項に記載の防水カバーにおいて、
当該防水カバーの外面に、前記被包部を防護する防護部材を着脱可能に備えることを特徴とする。
【０００９】
請求項５に記載の発明は、請求項１〜４の何れかに記載の防水カバーを用いて、水没の恐れのある機器を保護する機器の防水保護方法であって、
前記被包部を前記機器の上方から被せてその機器の上部及び側部を覆い、更に前記固定部によって前記被包部を前記機器の周囲に拘束することで前記被包部と前記機器との間に空気を保持して空気層を形成し、その空気層によって前記被包部の下方からの水の浸入を防ぐことを特徴とする。
【発明の効果】
【００１０】
本発明によれば、機器を被包部で覆って固定部により固定し、その防水カバーを所定の機器に装着することによって、防水カバーの被包部と機器との間に空気層を形成することができるので、その空気層の空気圧によって被包部の下方からの水の浸入を防ぐことが可能になり、防水カバー内の機器が水に浸漬してしまうことを防ぐことができる。
つまり、水害などの発生前に防水シートを機器に装着すれば、機器が濡れたり汚れたりすることを防ぐことができ、機器が故障してしまうことを防止することができる。
【００１１】
また、防水カバーは、例えば、樹脂シートなどから成形することができる袋状のカバー部材であるので、従来技術における運搬装置などと比べて格段に安いコストで製造することができる。さらに、その防水カバーの機器への取り付けや取り外しは容易に行うことができる。
【００１２】
従って、この防水カバー及び防水カバーを利用する機器の防水保護方法は、機器が水中に浸漬してしまわないように低コストで保護することができる技術であるといえる。
【発明を実施するための最良の形態】
【００１３】
以下、図面を参照して、本発明に係る防水カバー及び機器の防水保護方法の実施形態について詳細に説明する。
なお、本実施形態における防水カバーは、急な増水が生じる水害時などに水没してしまいそうな建設機器や重機を覆うことで、その機器などが水中に浸漬してしまわないように保護するカバーである。具体的には、本発明の防水カバーで保護する対象となる機器は、水に浮かない機器であって、万一水没してしまった場合には、水底に沈むか、水底に設置されたままとなり、水上に浮かび上がったり水中を漂ったりしない機器である。
特に、本実施形態においては、水没の恐れのある機器として杭圧入機を覆って保護する防水カバーを例に説明する。
【００１４】
防水カバー１００は、図１（ａ）（ｂ）（ｃ）に示すように、杭圧入機１の周囲を覆う被包部１０と、その被包部１０を杭圧入機１に固定する固定部である複数のベルト２０等を備えている。
【００１５】
なお、杭圧入機１（図４、図５参照）は、既に圧入された杭Ｐの上端部を把持する複数のクランプ装置２を備えたサドルと、サドルに対して前後動自在なスライドベースと、スライドベース上で左右に旋回自在なリーダマストと、リーダマストの前面に昇降自在に取り付けられて杭Ｐを保持するチャック装置と、リーダマストに対してチャック装置を昇降駆動する油圧シリンダとを備える機器本体３と、機器本体３上に取り付けられたクレーン４等を備えている機器である。
そして、杭圧入機１は、杭Ｐを保持したチャック装置を下降させることと、杭Ｐを離してチャック装置を上昇させることを繰り返すことによって、１ストローク分ずつ杭Ｐを圧入することを繰り返して、杭Ｐを地盤に圧入するようになっている。また、杭圧入機１は順次杭を圧入する際に、新たに圧入した杭Ｐをチャック装置で保持した状態でクランプ装置２を備えるサドルを移動させるようにして、その杭Ｐに対して前進することができるようになっている。
この杭圧入機１の構成や動作は従来公知のものと同様であるので、ここでは詳述しない。
【００１６】
この防水カバー１００の被包部１０は、図１（ａ）〜（ｃ）に示すように、杭圧入機１の機器本体３を覆う本体カバー１１と、杭圧入機１のクレーン４を覆うブームカバー１２と、を有している。
【００１７】
本体カバー１１は、図１（ａ）〜（ｃ）に示すように、機器本体３の上面と前後左右の側面を覆う形状であって、下面側が開放された略直方体形状を呈している。
ブームカバー１２は、図１（ａ）〜（ｃ）に示すように、クレーン４の周囲を覆うように、略円柱形状を呈しており、本体カバー１１の上面側に内部空間を連通するように一体に設けられている。
つまり、被包部１０は、杭圧入機１の上部及び側部を覆い、下部側に開口を有している。
【００１８】
被包部１０は、例えば、非透液性かつ非通気性の樹脂シートからなる。
この被包部１０は、幾つかの樹脂シートパーツが接合され、下部側に開口が形成された袋状のカバー部材であり、それら樹脂シートパーツの接合部分は熱圧着などによって融着されており、隙間や細孔がないように接合されている。なお、樹脂シートの接合部分や杭圧入機１の角に当たる部分の内面には、その部分の強度を上げる補強シートを貼付することが好ましい。
また、被包部１０の本体カバー１１における前面および後面には、水密ファスナー１３が設けられており、被包部１０の下部開口側を割き分けて、広げることが可能になっている。なお、この水密ファスナー１３を閉じて封着した部分は密封されて水密性および気密性を有するので、水や空気が透過しないようになっている。
【００１９】
ベルト２０は、本体カバー１１に７箇所、ブームカバー１２に３箇所、ブームカバー１２と本体カバー１１の接合部分に１箇所の計１１箇所に設けられている。
【００２０】
本体カバー１１には、杭圧入機１の前後方向に掛け渡される２本のベルト２０と、杭圧入機１の左右方向に掛け渡される５本のベルト２０が設けられている。この本体カバー１１側のベルト２０は、被包部１０の下部開口側で締結するように設けられており、それらベルト２０の一端部と他端部とを締結することによって、被包部１０を杭圧入機１の周囲に拘束して、防水カバー１００が杭圧入機１から外れてしまわないように固定することができる。
ブームカバー１２側には、クレーン４の周囲に環状に掛け渡される４本のベルト２０が設けられている。このブームカバー１２側のベルト２０の一端部と他端部とを締結することによって、被包部１０を杭圧入機１の周囲により確実に拘束し固定することができる。
【００２１】
そして、被包部１０を杭圧入機１に被せてベルト２０を締結して、杭圧入機１に防水カバー１００を装着した際に、被包部１０と杭圧入機１との間に空気が保持されてなる空気層５０（図４、図５参照）が形成される。なお、被包部１０は、非透液性および非通気性を有しているので、被包部１０内に形成された空気層５０は、被包部１０から漏れることなく安定した状態で維持される。
【００２２】
この杭圧入機１に装着された防水カバー１００は、本体カバー１１側の７本のベルト２０が杭圧入機１の下方で締結されることによって、その姿勢が拘束されているので、被包部１０の下部開口は常に下方を向いていることとなる。
つまり、被包部１０内に形成された空気層５０によって、被包部１０内の内圧（空気圧）が高まることとなるので、被包部１０の下部開口の位置より高い水位となる増水が発生しても、被包部１０の下部開口から増水した水が浸入することを抑え、防水カバー１００（被包部１０）内での水位の上昇を防ぎ（図８参照）、杭圧入機１が水中に浸漬してしまうことを防ぐことができる。
また、防水カバー１００の被包部１０は、ベルト２０の締結により杭圧入機１の周囲に拘束されているので、空気層５０の浮力によって防水カバー１００が浮き上がり難くなっており、杭圧入機１から防水カバー１００が外れてしまわないようになっている。
【００２３】
また、その空気層５０に対して、防水カバー１００の外部から空気を供給する空気供給手段としてのエアコンプレッサ４０が、この防水カバー１００に備えられている（図９参照）。
エアコンプレッサ４０によって、防水カバー１００内の空気層５０に空気を供給することにより、被包部１０内の内圧（空気圧）を一層高めることができるので、増水した水の水位が高くその水圧が高い場合でも、被包部１０の下部開口から水が浸入することを抑えて、防水カバー１００（被包部１０）内での水位の上昇を防ぐことが可能になる。
【００２４】
さらに、被包部１０には、後述する防護部材である防護ネット３０を取り付けるための複数の被係止金具１４が設けられている。
被係止金具１４は、本体カバー１１の上面に１箇所、本体カバー１１の左右の側面にそれぞれ２箇所ずつで４箇所、ブームカバー１２に２箇所の計７箇所に設けられている。
【００２５】
防護ネット３０は、図２に示すように、略Ｌ字形状を呈するネット部３１と、防護ネット３０を防水カバー１００に取り付けるための係止バンド３２とを備えている。
ネット部３１は、例えば、ザイロン（登録商標）などの高強度繊維によって編まれた樹脂性ネットや、金属ワイヤが編まれた金属性ネットからなる。
係止バンド３２は、ネット部３１に一端が連結されたゴムロープ３２ａと、ゴムロープ３２ａの他端に設けられた係止フック３２ｂとからなる。
【００２６】
この係止バンド３２は、ネット部３１の角端など計７箇所に設けられており、係止バンド３２の係止フック３２ｂを被包部１０の被係止金具１４に係着させることで、被包部１０を防護する防護ネット３０を防水カバー１００に着脱可能に備えることができる。
そして、防水カバー１００に取り付けられた防護ネット３０は、被包部１０が破損しないように、防水カバー１００の外面側を被覆するようになっている。
【００２７】
次に、本発明に係る、機器の防水保護方法であって、杭圧入機１に防水カバー１００を装着する手順や、その防水カバー１００によって杭圧入機１が水中に浸漬してしまわないようにする防水保護方法について説明する。
【００２８】
例えば、河川工事などにおいて杭圧入機１を使用する杭Ｐの埋設作業が行われていた際に、集中豪雨などにより水嵩が増して作業現場が冠水する可能性が高まり、その杭圧入機１が水没してしまう恐れがあるものの、杭圧入機１を速やかに撤去できない場合に、この防水カバー１００を用いて杭圧入機１が水中に浸漬してしまわないようにする防水保護を実行する。
【００２９】
まず、図３に示すように、防水カバー１００の水密ファスナー１３を開き、被包部１０の下部開口側を広げた状態で、その被包部１０を杭圧入機１の上方から被せる。この際、ブームカバー１２内にクレーン４を先端側から送り込むようにして、そのクレーン４をブームカバー１２で覆い、さらに機器本体３を本体カバー１１で覆う。
ブームカバー１２内にクレーン４が収容され、本体カバー１１の隅部と杭圧入機１（機器本体３）の縁部とが揃っていることを確認した後、水密ファスナー１３を閉じて、その杭圧入機１の上部及び側部を被包部１０で被覆する。
【００３０】
次いで、本体カバー１１に左右方向に掛け渡された５本のベルト２０の一端部と他端部をそれぞれ被包部１０の下部開口側であって、杭圧入機１の下方で締結する。また、本体カバー１１の前後方向に掛け渡された２本のベルト２０の一端部と他端部をそれぞれ被包部１０の下部開口側であって、杭圧入機１の下方で締結する。この本体カバー１１側の７本のベルト２０を杭圧入機１の下方で締結することによって、防水カバー１００が杭圧入機１から外れてしまわないように固定することができる。
更に、ブームカバー１２側において、クレーン４の周囲に環状に掛け渡された４本のベルト２０の一端部と他端部とを締結することによって、被包部１０を杭圧入機１の周囲により確実に拘束し固定する。
【００３１】
このように、杭圧入機１の上部及び側部を被包部１０で覆うとともに、各ベルト２０を締結してその被包部１０を杭圧入機１の周囲に拘束し、防水カバー１００を取り付けることによって、図４、図５に示すように、被包部１０と杭圧入機１との間に空気が保持されてなる空気層５０が形成される。
特に、樹脂シートからなる被包部１０で杭圧入機１を覆い、水密ファスナー１３やベルト２０でカバーを機器に固定する防水カバー１００の取り付け作業は、作業員一人ないし少人数で行うことのできる作業であるので、容易に防水カバー１００を杭圧入機１に装着することができ、また取り外すことも容易に行うことができる。
【００３２】
次いで、防護ネット３０の７つの係止フック３２ｂを、被包部１０における７つの被係止金具１４に係着させて、図６、図７に示すように、防護ネット３０を防水カバー１００に取り付ける。
この防護ネット３０を防水カバー１００に装着する場合、増水した水が流れて杭圧入機１に向かってくる方向に対して取り付ける。つまり、水の流れの上流側であり、その水流が杭圧入機１（防水カバー１００）に当たる面に防護ネット３０を取り付ける。
このように、水流が防水カバー１００に当たる面に防護ネット３０を取り付けることによって、流れてきたゴミや流木などが防水カバー１００に接触することを防ぎ、防水カバー１００が破れるなど破損してしまうことを低減することができる。
【００３３】
また、増水の規模が大きいと予想される場合には、防水カバー１００の外部から、防水カバー１００内の空気層５０に対して空気を供給するエアコンプレッサ４０を取り付けることが好ましい。
このエアコンプレッサ４０は、増水した水位の水面上となる地点に配置され、エアホース４１を介して空気層５０に空気を供給する（図９参照）。
【００３４】
そして、洪水や高潮などによる増水が発生し、杭圧入機１の周辺の水位が上昇した場合でも、図８に示すように、杭圧入機１に本発明に係る防水カバー１００が装着されていれば、空気層５０の空気圧によって被包部１０の下部開口から増水した水が浸入することを抑え、防水カバー１００内での水位の上昇を防ぎ、杭圧入機１が水中に浸漬してしまうことを防ぐことができる。
【００３５】
また、増水した水位が高く、その水圧が高い場合には、図９に示すように、エアコンプレッサ４０によって空気層５０に空気を供給することにより、被包部１０内の空気圧を一層高めることができるので、そのような場合でも、防水カバー１００内での水位の上昇を防ぎ、杭圧入機１が水中に浸漬してしまうことを防ぐことができる。
【００３６】
以上のように、本発明に係る防水カバー１００を杭圧入機１に装着すれば、防水カバー１００の被包部１０と杭圧入機１との間に空気層５０が形成されるので、その空気層５０の空気圧によって被包部１０の下部開口から増水した水が浸入することを抑えることができ、防水カバー１００内の杭圧入機１が水に浸漬してしまうことを防ぐことができる。
特に、エアコンプレッサ４０によって空気層５０に空気を供給することにより、その空気層５０の空気圧を一層高めることができるので、より確実に被包部１０内への水の浸入を抑えることができ、増水の規模が大きくその水位や水圧が高いような場合でも、防水カバー１００内での水位の上昇を防ぎ、杭圧入機１が水に浸漬してしまうことを防ぐことができる。
【００３７】
そして、水位が下がった際に、防水カバー１００を杭圧入機１から取り外せば、杭圧入機１は濡れておらず、泥や砂の付着もないので、速やかに復旧させることが可能となり、杭の埋設作業を継続することができる。つまり、機器の修理費用の発生を抑え、作業日程の延長に伴う工費の増大などを抑えることができるメリットがある。
【００３８】
また、本発明に係る防水カバー１００は、樹脂シートなどからなる袋状のカバー部材であるので、従来技術における運搬装置などと比べて格段に安いコストで製造することができるものであるので、この防水カバー１００及び防水カバー１００を利用する機器の防水保護方法は、各種機器が水中に浸漬してしまわないように低コストで保護することができる技術であるといえる。
【００３９】
なお、以上の実施の形態においては、杭圧入機１用の防水カバー１００を例に説明したが、本発明はこれに限定されるものではなく、例えば、防水カバーで覆う機器は、その他の任意の機器であってよく、その機器の大きさや形状に応じた防水カバーとするようにすればよい。
また、防水カバーで保護する対象は、機器であることに限らず、水没させたくない設備や建築物など任意の物体であってもよい。
【００４０】
また、以上の実施の形態においては、防護ネット３０は、杭圧入機１（防水カバー１００）の前面側を覆う形状として説明したが、本発明はこれに限定されるものではなく、例えば、杭圧入機１（防水カバー１００）全体を被覆するなど、他の形状を有する防護ネットであってもよい。
【００４１】
また、その他、具体的な細部構造等についても適宜に変更可能であることは勿論である。
【図面の簡単な説明】
【００４２】
【図１】本発明に係る防水カバーを示す説明図であり、上面図（ａ）と、矢印ｂ方向からの測面図（ｂ）と、矢印ｃ方向からの正面図（ｃ）である。
【図２】防水カバーの防護ネットを示す平面図である。
【図３】防水カバーの水密ファスナーを開いた状態を示す正面図である。
【図４】杭圧入機に装着された防水カバーを示す側面図である。
【図５】杭圧入機に装着された防水カバーを示す正面図である。
【図６】杭圧入機に装着された防水カバー及び防護ネットを示す側面図である。
【図７】杭圧入機に装着された防水カバー及び防護ネットを示す正面図である。
【図８】水位上昇時において防水カバーが装着された杭圧入機を示す説明図である。
【図９】より高い水位上昇時において防水カバーが装着された杭圧入機を示す説明図である。
【符号の説明】
【００４３】
１      杭圧入機（機器）
２      クランプ装置
３      機器本体
４      クレーン
１０    被包部
１１    本体カバー
１２    ブームカバー
１３    水密ファスナー
１４    被係止金具
２０    ベルト（固定部）
３０    防護ネット（防護部材）
３１    ネット部
３２    係止バンド
３２ａ  ゴムロープ
３２ｂ  係止フック
４０    エアコンプレッサ（空気供給手段）
５０    空気層
１００  防水カバー
Ｐ      杭
【図１】
2009255951.tif 000003
【図２】
2009255951.tif 000004
【図３】
2009255951.tif 000005
【図４】
2009255951.tif 000006
【図５】
2009255951.tif 000007
【図６】
2009255951.tif 000008
【図７】
2009255951.tif 000009
【図８】
2009255951.tif 000010
【図９】
2009255951.tif 000011